(57)【特許請求の範囲】
【請求項１】
スマート端末デバイスの制御方法であって、
スマート端末デバイスに接続されたイヤホンのイヤーピースの、着用及び脱着を含む着脱状態をモニタリングするステップと、
前記イヤーピースの着脱状態に基づいて、前記スマート端末デバイス中のアプリケーションの運行状態を制御するか、及び／或いは、前記スマート端末デバイスの動作モードを制御するステップと
を含み、
前記スマート端末デバイスの前記動作モードは、第１動作モード、第２動作モード及び第３動作モードを含み、
前記第１動作モードは、通常モードであり、
前記第２動作モードは、イヤホンモードであり、
前記第３動作モードは、受話器モード又はハンズフリーモードであり、
前記イヤーピースの着脱状態に基づいて、前記スマート端末デバイス中のアプリケーションの運行状態を制御するか、及び／或いは、前記スマート端末デバイスの動作モードを制御するステップは、
前記スマート端末デバイス中に運行中のアプリケーションが存在するか否かを検出するステップと、
前記スマート端末デバイス中に運行中のアプリケーションが存在しない場合、前記イヤーピースの着脱状態に基づいて、予め設定した対策に従って、前記スマート端末デバイス中のアプリケーションを起動して運行させるステップと、
前記スマート端末デバイス中に運行中のアプリケーションが存在する場合、前記運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するステップと
を含み、
運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するステップは、
前記運行中のアプリケーションがリッチメディアアプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するステップと、
前記運行中のアプリケーションがリッチメディアアプリケーションである場合、前記イヤーピースの着脱状態が脱着であると、前記運行中のアプリケーションの運行状態を特定し、第２運行状態にあると、前記運行中のアプリケーションを前記第２運行状態から第１運行状態に切り替えるように制御し、第１運行状態にあると、前記運行中のアプリケーションを前記第１運行状態から第２運行状態に切り替えるように制御し、前記スマート端末デバイスを前記第１動作モードに切り替えるように制御するステップと、
前記運行中のアプリケーションが通信内容をオーディオクリップの形式で転送する通信アプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するステップと、
前記運行中のアプリケーションが通信内容をオーディオクリップの形式で転送する通信アプリケーションである場合、前記イヤーピースの着脱状態が脱着であると、前記運行中のアプリケーションが第２運行状態にあるか否かを特定し、第２運行状態にあると、前記運行中のアプリケーションを前記第２運行状態から第１運行状態に切り替えるように制御するステップと
を含む
ことを特徴とする制御方法。
【請求項２】
イヤーピースの着脱状態に基づいて、予め設定した対策に従って、前記スマート端末デバイス中のアプリケーションを起動して運行させるステップは、
前記イヤーピースの着脱状態が着用である場合、前記スマート端末デバイスのデスクトップアプリケーションを起動して運行及び表示させるように制御するステップ、
或いは、
前記イヤーピースの着脱状態が着用である場合、前記スマート端末デバイス中の予め設定したアプリケーションを起動して運行させるように制御するステップ、
或いは、
前記イヤーピースの着脱状態が着用である場合、表示インターフェースにアプリケーションのリストを表示させるように制御し、ユーザにより前記アプリケーションのリスト中から選択したアプリケーションを起動して運行させるステップ
を含むことを特徴とする請求項１に記載の制御方法。
【請求項３】
前記運行中のアプリケーションを前記第１運行状態から第２運行状態に切り替えるように制御するステップは、
前記運行中のアプリケーションが１個ある場合、前記運行中のアプリケーションを前記第１運行状態から第２運行状態に切り替えるように制御するステップと、
前記運行中のアプリケーションが２個以上ある場合、ユーザに前記運行中のアプリケーションのリストを提供し、ユーザにより前記運行中のアプリケーションのリスト中から選択したアプリケーションを前記第１運行状態から第２運行状態に切り替えるように制御するステップと
を含むことを特徴とする請求項１に記載の制御方法。
【請求項４】
スマート端末デバイスに接続されたイヤホンのイヤーピースの着脱状態をモニタリングするステップは、
前記イヤホンのイヤーピースの表面或いは内部に設置されたセンサを用いて、前記スマート端末デバイスに接続されたイヤホンのイヤーピースの着脱状態をモニタリングするステップ
を含み、
前記センサは、カメラセンサ、容量型静電気センサ、抵抗型圧力センサ、圧電センサ、光センサ、赤外線センサ及び距離センサの中の少なくとも一つを含む
ことを特徴とする請求項１に記載の制御方法。
【請求項５】
スマート端末デバイス中に運行中のアプリケーションが存在するか否かを検出するステップは、
前記イヤホン内に設置された信号コーディングデコーダを用いてコーディングして生成した制御命令を受信するステップと、
前記制御命令に基づいて、前記スマート端末デバイス中に運行中のアプリケーションが存在するか否かを検出するステップと
を含むことを特徴とする請求項１に記載の制御方法。
【請求項６】
スマート端末デバイスの制御システムであって、
スマート端末デバイスに接続されたイヤホンのイヤーピースの、着用及び脱着を含む着脱状態をモニタリングするためのモニタリングモジュールと、
前記モニタリングモジュールによりモニタリングされた前記イヤーピースの着脱状態に基づいて、前記スマート端末デバイス中のアプリケーションの運行状態を制御するか、及び／或いは、前記スマート端末デバイスの動作モードを制御するための制御モジュールと
を備え、
前記スマート端末デバイスの前記動作モードは、第１動作モード、第２動作モード及び第３動作モードを含み、
前記第１動作モードは、通常モードであり、
前記第２動作モードは、イヤホンモードであり、
前記第３動作モードは、受話器モード又はハンズフリーモードであり、
前記制御モジュールは、
前記スマート端末デバイス中に運行中のアプリケーションが存在するか否かを検出するための検出サブモジュールと、
前記検出サブモジュールにより前記スマート端末デバイス中に運行中のアプリケーションが存在しないことが検出された場合、前記イヤーピースの着脱状態に基づいて、予め設定した対策に従って、前記スマート端末デバイス中のアプリケーションを起動して運行させるための運行サブモジュールと、
前記検出サブモジュールにより前記スマート端末デバイス中に運行中のアプリケーションが存在することが検出された場合、前記運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するための制御サブモジュールと
を備え、
前記制御サブモジュールは、
前記運行中のアプリケーションがリッチメディアアプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するための第１リッチメディア切替えサブユニットと、
前記運行中のアプリケーションがリッチメディアアプリケーションである場合、前記イヤーピースの着脱状態が脱着であると、前記運行中のアプリケーションの運行状態を特定し、第２運行状態にあると、前記運行中のアプリケーションを前記第２運行状態から第１運行状態に切り替えるように制御し、第１運行状態にあると、前記運行中のアプリケーションを前記第１運行状態から第２運行状態に切り替えるように制御し、前記スマート端末デバイスを前記第１動作モードに切り替えるように制御するための第２リッチメディア切替えサブユニットと、
前記運行中のアプリケーションが通信内容をオーディオクリップの形式で転送する通信アプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するための第１通信切替えサブユニットと、
前記運行中のアプリケーションが通信内容をオーディオクリップの形式で転送する通信アプリケーションである場合、前記イヤーピースの着脱状態が脱着であると、前記運行中のアプリケーションが第２運行状態にあるか否かを特定し、第２運行状態にあると、前記運行中のアプリケーションを前記第２運行状態から第１運行状態に切り替えるように制御するための第２通信切替えサブユニットと
を備える
ことを特徴とする制御システム。
【請求項７】
前記運行サブモジュールは、
前記イヤーピースの着脱状態が着用である場合、前記スマート端末デバイスのデスクトップアプリケーションを起動して運行及び表示させるように制御するための第１アプリケーション運行サブユニットと、
前記イヤーピースの着脱状態が着用である場合、前記スマート端末デバイス中の予め設定したアプリケーションを起動して運行させるように制御するための第２アプリケーション運行サブユニットと、
前記イヤーピースの着脱状態が着用である場合、表示インターフェースにアプリケーションのリストを表示させるように制御し、ユーザにより前記アプリケーションのリスト中から選択したアプリケーションを起動して運行させるための第３アプリケーション運行サブユニットと
を備えることを特徴とする請求項６に記載の制御システム。
【請求項８】
前記運行中のアプリケーションを前記第１運行状態から第２運行状態に切り替えるように制御する方法は、
前記運行中のアプリケーションが１個ある場合、前記運行中のアプリケーションを前記第１運行状態から第２運行状態に切り替えるように制御する方法と、
前記運行中のアプリケーションが２個以上ある場合、ユーザに前記運行中のアプリケーションのリストを提供し、ユーザにより前記運行中のアプリケーションのリスト中から選択したアプリケーションを前記第１運行状態から第２運行状態に切り替えるように制御する方法と
を含むことを特徴とする請求項６に記載の制御システム。
【請求項９】
前記モニタリングモジュールは、前記イヤホンのイヤーピースの表面或いは内部に設置されたセンサを用いて、前記スマート端末デバイスに接続されたイヤホンのイヤーピースの着脱状態をモニタリングし、
前記センサは、カメラセンサ、容量型静電気センサ、抵抗型圧力センサ、圧電センサ、光センサ、赤外線センサ及び距離センサの中の少なくとも一つを含む
ことを特徴とする請求項６に記載の制御システム。
【請求項１０】
前記検出サブモジュールは、
前記イヤホン内に設置された信号コーディングデコーダを用いてコーディングして生成した制御命令を受信するための受信サブユニットと、
前記制御命令に基づいて、前記スマート端末デバイス中に運行中のアプリケーションが存在するか否かを検出するための検出サブユニットと
を備えることを特徴とする請求項６に記載の制御システム。
【請求項１１】
プロセッサに実行されることにより、請求項１から請求項５のいずれかに記載のスマート端末デバイスの制御方法を実現することを特徴とするプログラム。
【請求項１２】
請求項１１に記載のプログラムが記録された記録媒体。
【発明の詳細な説明】
【技術分野】
【０００１】
本発明は、スマート端末技術分野に関し、特に、スマート端末デバイスの制御方法、システム、プログラム及び記録媒体に関する。
【背景技術】
【０００２】
スマート端末デバイスとは、マルチメディア機能を有するスマートデバイスを意味する。これらデバイスは、オーディオ、ビデオ、データ、等に関する機能を提供する。例えば、テレビ電話、会議端末、マルチメディア機能が内蔵されたパーソナルコンピュータ（ｐｅｒｓｏｎａｌｃｏｍｐｕｔｅｒ ＰＣ）、パーソナルデジタルアシスタント（Ｐｅｒｓｏｎａｌ Ｄｉｇｉｔａｌ Ａｓｓｉｓｔａｎｔ ＰＤＡ）等は、すべて、スマート端末デバイスに属する。
【０００３】
スマート端末デバイスの高速の普遍化に伴い、これらデバイスのオーディオビジュアルのエクスペリエンスもますます完璧になっている。これらは、もう、人々の外出する過程中の重要なエンターテイメント用デバイスになった。
【０００４】
一方、移動アプリケーションの場合、ユーザは、ほとんど、イヤホンを着用してマルチメディア・コンテンツを聴く。例えば、オーディオやビデオを再生させる時、或は、ゲームを運行させる際に、イヤホンを使用して聴くことになる。もう一方、移動インターネットによるオーディオ通信及びビデオ通信の発展に伴い、人々は、オーディオ通信又はビデオ通信を行う時にも、イヤホンをよく使用する。
【発明の概要】
【発明が解決しようとする課題】
【０００５】
しかし、多数の緊急の場合に、ユーザは、よく、耳からイヤホンを取るために慌てた後に、マルチメディア・コンテンツの再生の中止を忘れるか、或は、それに間に合わなくなるため、再生させているオーディオ及びビデオ、或は、ゲームを逃すか、デバイスの電力の無駄を招いてしまう。もし、ユーザがマルチメディアの再生を中止しようとすると、スマート端末の操作インターフェースに戻って一時停止ボタンを押下しなければならない。例えば、有線イヤホンの場合は、再生制御機能を有する線制御ボタンである一時停止ボタンを押下するか、或いは、そのまま、デバイスからイヤホンプラグを抜き出すことで、再生を一時停止させる必要がある。無線イヤホンの場合は、イヤホン上のスイッチを押下するか、或いは、再生インターフェース上の一時停止ボタンを押下することで、再生を一時停止させる必要がある。
【０００６】
また、多数の緊急の場合に、ユーザは、オーディオ通信又はビデオ通信を行う過程中に、イヤホンモード、通常モード及びハンズフリーモードの間を、切り替える必要がある。このような切り替える過程も、手動的に有線イヤホンプラグを差し込んだり抜き出したりする方法、或は、無線イヤホンの接続をオンにしたりオフにしたりする方法によって、実現する。
【０００７】
このため、上記の手動操作の方法が煩雑であり、また、頻繁な機械的操作によって、イヤホンのスイッチ、プラグ及びインターフェースの摩耗及び老化を招いてしまう。
【課題を解決するための手段】
【０００８】
本発明に係る実施例は、イヤホンの着脱状態が変更された時に行うべき操作を簡素化でき、イヤホンの機械的の部分の使用寿命を改善でき、スマート端末デバイスの電力を節約できる、スマート端末デバイスの制御方法、システム、プログラム及び記録媒体を提供する。
【０００９】
上記の問題を解決するために、本発明に係る実施例の第１の態様によると、スマート端末デバイスの制御方法を提供する。前記方法は、スマート端末デバイスに接続されたイヤホンのイヤーピースの、着用及び脱着を含む着脱状態をモニタリングするステップと、前記イヤーピースの着脱状態に基づいて、前記スマート端末デバイス中のアプリケーションの運行状態を制御するか、及び／或いは、前記スマート端末デバイスの動作モードを制御するステップとを含む。
【００１０】
オプションとして、前記イヤーピースの着脱状態に基づいて、前記スマート端末デバイス中のアプリケーションの運行状態を制御するか、及び／或いは、前記スマート端末デバイスの動作モードを制御するステップは、前記スマート端末デバイス中に運行中のアプリケーションが存在するか否かを検出するステップと、前記スマート端末デバイス中に運行中のアプリケーションが存在しない場合、前記イヤーピースの着脱状態に基づいて、予め設定した対策に従って、前記スマート端末デバイス中のアプリケーションを起動して運行させるステップと、前記スマート端末デバイス中に運行中のアプリケーションが存在する場合、前記運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するステップとを含む。
【００１１】
オプションとして、イヤーピースの着脱状態に基づいて、予め設定した対策に従って、前記スマート端末デバイス中のアプリケーションを起動して運行させるステップは、前記イヤーピースの着脱状態が着用である場合、前記スマート端末デバイスのデスクトップアプリケーションを起動して運行及び表示させるように制御するステップ、或いは、前記イヤーピースの着脱状態が着用である場合、前記スマート端末デバイス中の予め設定したアプリケーションを起動して運行させるように制御するステップ、或いは、前記イヤーピースの着脱状態が着用である場合、表示インターフェースにアプリケーションのリストを表示させるように制御し、ユーザにより前記アプリケーションのリスト中から選択したアプリケーションを起動して運行させるステップを含む。
【００１２】
オプションとして、運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するステップは、前記運行中のアプリケーションがリッチメディアアプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するステップと、前記運行中のアプリケーションがリッチメディアアプリケーションである場合、前記イヤーピースの着脱状態が脱着であると、前記運行中のアプリケーションの運行状態を特定し、第２運行状態にあると、前記運行中のアプリケーションを前記第２運行状態から第１運行状態に切り替えるように制御し、第１運行状態にあると、前記運行中のアプリケーションを前記第１運行状態から第２運行状態に切り替えるように制御し、前記スマート端末デバイスを第１動作モードに切り替えるように制御するステップと、前記運行中のアプリケーションが通信アプリケーションである場合、前記イヤーピースの着脱状態が着用であると、前記スマート端末デバイスを第２動作モードに切り替えるように制御するか、或いは、前記運行中のアプリケーションが第１運行状態にあるか否かを特定し、第１運行状態にあると、前記運行中のアプリケーションを前記第１運行状態から第２運行状態に切り替えるように制御するステップと、前記運行中のアプリケーションが通信アプリケーションである場合、前記イヤーピースの着脱状態が脱着であると、前記スマート端末デバイスを第３動作モードに切り替えるように制御するか、或いは、前記運行中のアプリケーションが第２運行状態にあるか否かを特定し、第２運行状態にあると、前記運行中のアプリケーションを前記第２運行状態から第１運行状態に切り替えるように制御するステップとを含む。
【００１３】
オプションとして、前記運行中のアプリケーションを前記第１運行状態から第２運行状態に切り替えるように制御するステップは、前記運行中のアプリケーションが１個ある場合、前記運行中のアプリケーションを前記第１運行状態から第２運行状態に切り替えるように制御するステップと、前記運行中のアプリケーションが２個以上ある場合、ユーザに前記運行中のアプリケーションのリストを提供し、ユーザにより前記運行中のアプリケーションのリスト中から選択したアプリケーションを前記第１運行状態から第２運行状態に切り替えるように制御するステップとを含む。
【００１４】
オプションとして、スマート端末デバイスに接続されたイヤホンのイヤーピースの着脱状態をモニタリングするステップは、前記イヤホンのイヤーピースの表面或いは内部に設置されたセンサを用いて、前記スマート端末デバイスに接続されたイヤホンのイヤーピースの着脱状態をモニタリングするステップを含み、前記センサは、カメラセンサ、容量型静電気センサ、抵抗型圧力センサ、圧電センサ、光センサ、赤外線センサ及び距離センサの中の少なくとも一つを含む。
【００１５】
オプションとして、スマート端末デバイス中に運行中のアプリケーションが存在するか否かを検出するステップは、前記イヤホン内に設置された信号コーディングデコーダを用いてコーディングして生成した制御命令を受信するステップと、前記制御命令に基づいて、前記スマート端末デバイス中に運行中のアプリケーションが存在するか否かを検出するステップとを含む。
【００１６】
本発明に係る実施例の第２の態様によると、スマート端末デバイスの制御システムを提供する。前記システムは、
スマート端末デバイスに接続されたイヤホンのイヤーピースの、着用及び脱着を含む着脱状態をモニタリングするためのモニタリングモジュールと、
前記モニタリングモジュールによりモニタリングされた前記イヤーピースの着脱状態に基づいて、前記スマート端末デバイス中のアプリケーションの運行状態を制御するか、及び／或いは、前記スマート端末デバイスの動作モードを制御するための制御モジュールと
を備える。
【００１７】
オプションとして、前記制御モジュールは、
前記スマート端末デバイス中に運行中のアプリケーションが存在するか否かを検出するための検出サブモジュールと、
前記検出サブモジュールにより前記スマート端末デバイス中に運行中のアプリケーションが存在しないことが検出された場合、前記イヤーピースの着脱状態に基づいて、予め設定した対策に従って、前記スマート端末デバイス中のアプリケーションを起動して運行させるための運行サブモジュールと、
前記検出サブモジュールにより前記スマート端末デバイス中に運行中のアプリケーションが存在することが検出された場合、前記運行中のアプリケーションの種類を特定して、特定された種類及び前記イヤーピースの着脱状態に基づいて、前記運行中のアプリケーションの運行状態を制御するか、及び／或いは、前記スマート端末デバイスの動作モードを制御するための制御サブモジュールと
を備える。
【００１８】
オプションとして、前記運行サブモジュールは、
前記イヤーピースの着脱状態が着用である場合、前記スマート端末デバイスのデスクトップアプリケーションを起動して運行及び表示させるように制御するための第１アプリケーション運行サブユニットと、
前記イヤーピースの着脱状態が着用である場合、前記スマート端末デバイス中の予め設定したアプリケーションを起動して運行させるように制御するための第２アプリケーション運行サブユニットと、
前記イヤーピースの着脱状態が着用である場合、表示インターフェースにアプリケーションのリストを表示させるように制御し、ユーザにより前記アプリケーションのリスト中から選択したアプリケーションを起動して運行させるための第３アプリケーション運行サブユニットと
を備える。
【００１９】
オプションとして、前記制御サブモジュールは、
前記運行中のアプリケーションがリッチメディアアプリケーションである場合、前記イヤーピースの着脱状態が着用であると、前記運行中のアプリケーションが第１運行状態にあるか否かを特定し、第１運行状態にあると、前記運行中のアプリケーションを前記第１運行状態から第２運行状態に切り替えるように制御するための第１リッチメディア切替えサブユニットと、
前記運行中のアプリケーションがリッチメディアアプリケーションである場合、前記イヤーピースの着脱状態が脱着であると、前記運行中のアプリケーションの運行状態を特定し、第２運行状態にあると、前記運行中のアプリケーションを前記第２運行状態から第１運行状態に切り替えるように制御し、第１運行状態にあると、前記運行中のアプリケーションを前記第１運行状態から第２運行状態に切り替えるように制御し、前記スマート端末デバイスを第１動作モードに切り替えるように制御するための第２リッチメディア切替えサブユニットと、
前記運行中のアプリケーションが通信アプリケーションである場合、前記イヤーピースの着脱状態が着用であると、前記スマート端末デバイスを第２動作モードに切り替えるように制御するか、或いは、前記運行中のアプリケーションが第１運行状態にあるか否かを特定し、第１運行状態にあると、前記運行中のアプリケーションを前記第１運行状態から第２運行状態に切り替えるように制御するための第１通信切替えサブユニットと、
前記運行中のアプリケーションが通信アプリケーションである場合、前記イヤーピースの着脱状態が脱着であると、前記スマート端末デバイスを第３動作モードに切り替えるように制御するか、或いは、前記運行中のアプリケーションが第２運行状態にあるか否かを特定し、第２運行状態にあると、前記運行中のアプリケーションを前記第２運行状態から第１運行状態に切り替えるように制御するための第２通信切替えサブユニットと
を備える。
【００２０】
オプションとして、前記運行中のアプリケーションを前記第１運行状態から第２運行状態に切り替えるように制御する方法は、前記運行中のアプリケーションが１個ある場合、前記運行中のアプリケーションを前記第１運行状態から第２運行状態に切り替えるように制御する方法と、前記運行中のアプリケーションが２個以上ある場合、ユーザに前記運行中のアプリケーションのリストを提供し、ユーザにより前記運行中のアプリケーションのリスト中から選択したアプリケーションを前記第１運行状態から第２運行状態に切り替えるように制御する方法とを含む。
【００２１】
オプションとして、前記モニタリングモジュールは、前記イヤホンのイヤーピースの表面或いは内部に設置されたセンサを用いて、前記スマート端末デバイスに接続されたイヤホンのイヤーピースの着脱状態をモニタリングし、前記センサは、カメラセンサ、容量型静電気センサ、抵抗型圧力センサ、圧電センサ、光センサ、赤外線センサ及び距離センサの中の少なくとも一つを含む。
【００２２】
オプションとして、前記検出サブモジュールは、
前記イヤホン内に設置された信号コーディングデコーダを用いてコーディングして生成した制御命令を受信するための受信サブユニットと、
前記制御命令に基づいて、前記スマート端末デバイス中に運行中のアプリケーションが存在するか否かを検出するための検出サブユニットと
を備える。
【００２３】
本発明の実施例に係る第３態様によると、プロセッサに実行されることにより、上記のスマート端末デバイスの制御方法を実現するプログラムを提供する。
【００２４】
本発明の実施例に係る第４態様によると、上記プログラムが記録された記録媒体を提供する。
【発明の効果】
【００２５】
本発明の実施例が提供する構成の有益な効果は以下のとおりである。
【００２６】
本発明に係る実施例によると、マート端末デバイス上に接続されたイヤホンのイヤーピースの着脱状態をリアルタイムにモニタリングし、その後、イヤーピースの着脱状態に基づいて、スマート端末デバイス中のアプリケーションを自動的に制御できる。このため、本発明に係る実施例においては、イヤホンのイヤーピースを着用する動作及び脱着する動作を簡単にモニタリングするだけで、関連するアプリケーションの運行状態を自動的に制御するか、及び／或いは、スマート端末デバイスの動作モードを自動的に制御することができ、手動操作によって制御する必要が無くなるため、イヤホンの着脱状態が変更された時に行うべき操作を簡素化でき、イヤホンの機械的の部分の使用寿命を改善でき、スマート端末デバイスの電力を節約できる。
【００２７】
以上の統括な記述と以下の細部記述は、ただ例示的なものであり、本発明を制限するものではないと、理解するべきである。
【図面の簡単な説明】
【００２８】
【図１】本発明の実施例１に係るスマート端末デバイスの制御方法を示す例示的なフローチャートである。
【図２】本発明の実施例２に係るスマート端末デバイスの制御方法を示す例示的なフローチャートである。
【図３】従来技術のイヤホンの内部構成を示す例示的な図である。
【図４】本発明の実施例２に係るイヤホンの内部構成を示す例示的な図である。
【図５】本発明の実施例３に係るスマート端末デバイスの制御方法を示す例示的なフローチャートである。
【図６】本発明の実施例４に係るスマート端末デバイスの制御システムの例示的な構成を示すブロック図である。
【図７】本発明の実施例５に係るスマート端末デバイスの制御システムの例示的な構成を示すブロック図である。
【００２９】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３０】
以下、本発明の目的、技術案及び利点をさらに明確にするために、図面を参照しながら本発明の実施例をさらに詳しく説明する。
【００３１】
本発明に係る実施例によると、スマート端末デバイス上に接続されたイヤホンのイヤーピースの着脱状態に基づいて、スマート端末デバイスが該当する操作を実行するように自動的に制御できるため、煩雑の手動操作を避けることができるし、イヤホンの機械的の部分の使用寿命を改善できる同時に、手動操作の実行を忘れてスマート端末デバイスの電力無駄を招いてしまう問題を解決できる。
【００３２】
本発明に係る実施例において、スマート端末デバイスは、マルチメディア機能を有するスマートデバイスを意味する。これらデバイスは、オーディオ、ビデオ、データ処理、等のような機能を提供する。例えば、携帯電話、プレーヤー、コンソール、テレビ電話、会議端末、マルチメディア機能が内蔵されたＰＣ、ＰＤＡ、等である。
【００３３】
＜実施例１＞
従来、スマート端末デバイス上でイヤホンを使用する時に、もし、イヤホンのイヤーピースを着用したり脱着たりすると、端末デバイス上の幾つかのアプリケーションの運行状態、或いは、スマート端末デバイスの動作モードを、手動的に操作して制御しなければならない。しかし、手動操作が煩雑であり、また、頻繁な機械的操作によって、イヤホンのスイッチ、プラグ及びインターフェースの摩耗及び老化を招いてしまう。また、もし、手動操作の実行を忘れると、アプリケーションの運行過程を逃してしまい、また、デバイスの電力の無駄を招いてしまう。
【００３４】
上記の問題を解決するために、本発明に係る実施例は、スマート端末デバイスの制御方法を提出する。当該方法は、スマート端末デバイス上に接続されたイヤホンのイヤーピースの着脱状態を判断して、スマート端末デバイスが該当する操作を実行するように自動的に制御できる。
【００３５】
図１は、本発明の実施例１に係るスマート端末デバイスの制御方法を示すフローチャートである。当該方法は、以下のステップを含んでもよい。
【００３６】
ステップ１００において、スマート端末デバイスに接続されたイヤホンのイヤーピースの、着用及び脱着を含む着脱状態をモニタリングする。
【００３７】
本発明に係る実施例において、上記のスマート端末デバイスに接続されたイヤホンは、無線イヤホン（Ｂｌｕｅｔｏｏｔｈイヤホン等を含み）であってもよく、有線イヤホンであってもよいし、本発明に係る実施例はこれに対して限定しない。
【００３８】
本発明に係る実施例において、スマート端末デバイス上に接続されたイヤホンのイヤーピースの着脱状態に基づいて、スマート端末デバイスが該当する操作を実行するように制御してもよい。このため、まず、スマート端末デバイス上に接続されたイヤホンのイヤーピースの着脱状態をモニタリングしてもよく、当該着脱状態は、着用状態及び脱着状態のような二種の状態を含んでもよい。
【００３９】
ここで、左側と右側との二つのイヤーピースを有するイヤホン（有線或いは無線）の場合、少なくとも一つのイヤーピースの着脱状態がモニタリングされると、当該イヤホンが着用状態にあると判断し、二つのイヤーピースがすべて脱着状態にあることがモニタリングされると、当該イヤホンが脱着状態にあると判断する。一つのイヤーピースを有するイヤホンの場合、当該イヤーピースの着用状態又は脱着状態が、当該イヤホンの状態を代表する。
【００４０】
ステップ１０２において、イヤーピースの着脱状態に基づいて、スマート端末デバイス中のアプリケーションの運行状態を制御するか、及び／或いは、スマート端末デバイスの動作モードを制御する。
【００４１】
本発明に係る実施例において、上記のモニタリングされたイヤーピースの着脱状態に基づいて、スマート端末デバイス中のアプリケーションの運行状態、及び／或いは、スマート端末デバイスの動作モードに対して、該当する制御を行ってもよい。
【００４２】
上記のスマート端末デバイス中のアプリケーションは、リッチメディアアプリケーション、或いは、通信アプリケーションであってもよく、ここで、リッチメディアアプリケーションは、各種のマルチメディアアプリケーション及びゲームアプリケーションを含んでもよく、通信アプリケーションは、音声通信、ビデオ通信、等通信アプリケーションを含んでもよい。アプリケーションの運行状態は、非再生状態及び再生状態を含んでもよく、スマート端末デバイスの動作モードは、イヤホンモード（例えば、アプリケーションが運行している時にイヤホンのイヤーピースを着用している）、受話器モード（例えば、音声通信を行っている時にイヤホンのイヤーピースを脱着する）、ハンズフリーモード（例えば、ビデオ通信を行っている時にイヤホンのイヤーピースを脱着する）、通常モード（例えば、リッチメディア・コンテンツを再生させている時にイヤホンのイヤーピースを脱着する）、等を含んでもよい。
【００４３】
例えば、現在のスマート端末デバイス中のリッチメディアアプリケーションの運行状態が再生状態であり、且つ、スマート端末デバイスが通常モードにある場合、イヤホンのイヤーピースの着脱状態がモニタリングされると、スマート端末デバイスがイヤホンモードに自動的に切り替えるように制御する。即ち、イヤホンを用いて再生中のリッチメディア・コンテンツを聴くだけでよく、手動操作を通じてモードを切り替える必要が無くなった。
【００４４】
上記の「及び／或いは」は、本発明に係る実施例は、スマート端末デバイス中のアプリケーションの運行状態のみを制御するケース、或いは、スマート端末デバイスの動作モードのみを制御するケースとの二つのケースに限定されないと理解すべきであり、状況によって、イヤーピースの着脱状態に基づいて運行状態の制御と動作モードの制御とを組み合わせてもよく、即ち、スマート端末デバイス中のアプリケーションの運行状態の制御、及び、スマート端末デバイスの動作モードの制御を同時に行ってもよく、具体的なケースは、以下の実施例において詳細に記述することを、説明する必要がある。
【００４５】
当然ながら、上記の制御過程は、ただ、例示的な説明であり、具体的な制御過程は、以下の実施例において、詳細に記述する。
【００４６】
上記のように、本発明に係る実施例によると、イヤホンのイヤーピースを着用する動作及び脱着する動作を簡単にモニタリングするだけで、関連するアプリケーションの運行状態、或いは、スマート端末デバイスの動作モードを自動的に制御できることにより、手動操作によって制御する必要が無くなるため、イヤホンの着脱状態が変更された時に行うべき操作を簡素化でき、イヤホンの機械的の部分の使用寿命を改善でき、スマート端末デバイスの電力を節約できる。
【００４７】
＜実施例２＞
本発明に係る実施例２において、上記のスマート端末デバイスの制御方法を詳細に説明する。
【００４８】
図２は、本発明の実施例２に係るスマート端末デバイスの制御方法を示すフローチャートである。当該方法は、以下のステップを含んでもよい。
【００４９】
ステップ２００において、スマート端末デバイスに接続されたイヤホンのイヤーピースの、着用及び脱着を含む着脱状態をモニタリングする。
【００５０】
本発明に係る実施例においては、従来に使用しているイヤホンの構成を分析した結果、イヤホン上にセンサを設置してスマート端末デバイス上のイヤホンの着脱状態をモニタリングできることを発見した。
【００５１】
従来の技術においては、有線イヤホン或は無線イヤホンのマイクロスイッチは、マルチメディア・コンテンツの再生、ゲーム、通信等を制御するための周辺デバイスである。図３は、従来技術でのイヤホンの内部構成図である。
【００５２】
図３中のマイクロスイッチは、マルチメディア・コンテンツの再生、ゲームの運行、通信の実施、等の操作を制御できる。端末デバイスにおいて、マルチメディア・コンテンツを再生させているか、一時停止させる過程において、マイクロスイッチをクリックすると、デバイスは、命令を受け取って再生を続けるか、或は、再生を一時停止させることになり、端末デバイスの通信過程において、マイクロスイッチをクリックすると、デバイスは、命令を受け取って電話を受けるか、或は、電話を切ることになる。
【００５３】
しかし、上記の技術中の有線イヤホン、或は、無線イヤホンのマイクロスイッチの場合は、手動操作を通じてマルチメディアの再生、ゲーム、通信、等を制御するが、頻繁の機械的操作は、イヤホンのスイッチ、プラグ、及び、インターフェースの摩耗及び老化を招いてしまい、また、手動操作の過程が煩雑である。
【００５４】
上記の問題を解決するために、本発明に係る実施例は、センサを用いて、イヤホンのイヤーピースの着脱状態をリアルタイムにモニタリングして、着脱状態によって、スマート端末デバイスが該当する操作を実行するように自動的に制御できる構成を提供する。
【００５５】
図４は、本発明の実施例２に係るイヤホンの内部構成図である。図４から分かるように、本発明に係る実施例においては、イヤホン上に、イヤホンの着脱状態をリアルタイムにモニタリングできるセンサを追加してもよい。
【００５６】
このため、当該ステップ２００は、以下のステップを含んでもよい。
【００５７】
サブステップ２００１において、イヤホンのイヤーピース表面、或いは、内部に設置されたセンサを用いて、スマート端末デバイスに接続されたイヤホンのイヤーピースの着脱状態をモニタリングする。
【００５８】
本発明に係る実施例において、上記のセンサは、カメラセンサ、容量型静電気センサ、抵抗型圧力センサ、圧電センサ、光センサ、赤外線センサ及び距離センサの中の一つ、或いは、幾つかの組み合わせを含んでもよい。
【００５９】
当然ながら、上記のセンサは、他の種類のセンサを含んでもよく、本発明に係る実施例はこれに対して限定しない。
【００６０】
イヤホンのイヤーピース表面、或いは、内部のセンサを用いて、外部の信号を検出して、検出された信号に基づいて、スマート端末デバイス上のイヤホンのイヤーピースの着脱状態を判断してもよく、即ち、現在、イヤホンのイヤーピースが着用されているか、又は、脱着されているかを判断する。
【００６１】
センサの具体的な動作過程は、当業者によって、実際経験を利用して該当する処理を行うことができるため、本発明に係る実施例においては、詳細に記述しない。
【００６２】
ステップ２０２において、イヤーピースの着脱状態に基づいて、スマート端末デバイス中のアプリケーションの運行状態、及び／或いは、スマート端末デバイスの動作モードを、制御する。
【００６３】
本発明に係る実施例において、イヤーピースの着脱状態に基づいて、スマート端末デバイス中のアプリケーションの運行状態、及び／或いは、スマート端末デバイスの動作モードを、制御してもよい。
【００６４】
当該ステップ２０２は、以下のステップを含む。
【００６５】
サブステップ２０２１において、スマート端末デバイス中に運行中のアプリケーションが存在するか否かを検出する。
【００６６】
存在すると、サブステップ２０２２を実行し、存在しないと、サブステップ２０２３を実行する。
【００６７】
図４から分かるように、本発明に係る実施例においては、イヤホンの内部の制御の部分に、信号コーディングデコーダを、さらに追加してもよい。当該信号コーディングデコーダは、センサによってモニタリングされた信号をコーディングして、関連する制御命令を生成できる。
【００６８】
例えば、センサにより信号がモニタリングされた後に、センサ信号回線を介して信号を信号コーディングデコーダに転送した後に、信号コーディングデコーダによりモニタリングされた信号をコーディングして、該当する制御命令を生成して、スマート端末デバイスに転送することにより、スマート端末デバイスが該当する操作を実行するように制御してもよい。
【００６９】
このため、本発明に係る実施例においては、当該サブステップ２０２１でのスマート端末デバイス中に運行中のアプリケーションが存在するか否かを検出するステップは、以下のステップを含んでもよい。
【００７０】
ステップａ１において、イヤホン内に設置された信号コーディングデコーダを用いてコーディングして生成した制御命令を受信する。
【００７１】
ステップａ２において、制御命令に基づいて、スマート端末デバイス中に運行中のアプリケーションが存在するか否かを検出する。
【００７２】
例えば、センサによりイヤホンのイヤーピースの着用、又は、脱着がモニタリングされた場合、センサにより、モニタリングされた信号をセンサ信号回線を介して信号コーディングデコーダに転送し、当該信号コーディングデコーダにより、受信された信号に対してコーディングして、制御命令を生成する。スマート端末デバイスは、当該制御命令に基づいて、スマート端末デバイス中に運行中のアプリケーションが存在するか否かを自動的に検出してもよい。
【００７３】
また、本発明に係る実施例において、信号コーディングデコーダは、さらに、スマート端末デバイスからのイヤホンに対する命令をデコードして、センサ及び他の機構（イヤホン、等）を制御してもよい。例えば、スマート端末デバイスからのセンサの感度を調節するための命令をデコードして、その後、当該命令に基づいてセンサの感度を調節してもよく、本発明に係る実施例においては、これに対して詳細に記述しない。
【００７４】
イヤホンの中の他の構成の作用は、当業者により実際経験を利用して該当する処理を行うことができるため、本発明に係る実施例においては、これに対して詳細に記述しない。
【００７５】
サブステップ２０２２において、スマート端末デバイス中に運行中のアプリケーションが存在しない場合、イヤーピースの着脱状態に基づいて予め設定した対策に従って、スマート端末デバイス中のアプリケーションを起動して運行させる。
【００７６】
ここで、上記の運行中のアプリケーションが存在しない場合は、スマート端末デバイスが画面ロック・スリープ状態、或いは、アンロックされたが、再生又は通信に関連するアプリケーションがまだされていない状態を含む。
【００７７】
本発明に係る実施例において、スマート端末デバイス中のアプリケーションを起動して運行させるための幾つかの対策を予め設定してもよい。例えば、当該サブステップ２０２２は、以下の三つのケースを含んでもよい。
【００７８】
第１のケースにおいて、イヤーピースの着脱状態が着用である場合、スマート端末デバイスのデスクトップアプリケーションを起動して運行及び表示させるように制御する。
【００７９】
例えば、センサを用いてユーザがイヤホンのイヤーピースを着用したことをモニタリングした場合、スマート端末デバイス（例えば、携帯電話、プレーヤー、或は、コンソール）が画面ロック・スリープ状態にあると、信号コーディングデコーダは、まず、ウェークアップ命令を生成して端末デバイスに転送し、ウェークアップ命令に基づいて、スマート端末デバイスが自動的にウェークアップしてアンロック（ロック画面パスワードがある場合には、まず、アンロックパスワードの入力欄インターフェースをポップアップする）するように制御して、アンロックされた後に、スマート端末デバイスのデスクトップアプリケーションを表示させて、選択して運行するようにしてもよい。
【００８０】
第２のケースにおいて、イヤーピースの着脱状態が着用である場合、スマート端末デバイス中の予め設定したアプリケーションを起動して運行させるように制御する。
【００８１】
もし、予め設定した対策が、イヤーピースを着用する時にあるアプリケーション（当該アプリケーションを予め設定してもよい）を自動的に運行させる対策であると、当イヤーピースの着脱状態が着用である場合、スマート端末デバイス中の予め設定したアプリケーションを起動して運行させるように制御してもよい。
【００８２】
本発明に係る実施例において、アプリケーションは、リッチメディアアプリケーション、及び、通信アプリケーションを含んでもよい。例えば、もし、予め設定された、イヤーピースを着用する時に起動するアプリケーションが通信アプリケーションであると、イヤーピースの着脱状態が着用である場合、制御命令を生成して、スマート端末デバイスが当該制御命令に基づいて通信アプリケーション（例えば、連絡帳を自動的に開く）を自動的に起動するようにしてもよい。さらに、例えば、ユーザの予め設定に基づいて、イヤーピースの着脱状態が着用であると、スマート端末デバイスが、ミュージック、ビデオプレーヤー、ゲーム等の、イヤホンに関連するリッチメディアアプリケーションを自動的に起動するようにしてもよい。
【００８３】
第３のケースにおいて、イヤーピースの着脱状態が着用である場合、表示インターフェースにアプリケーションのリストを表示させて、ユーザによりアプリケーションのリストの中から選択したアプリケーションを起動して運行させるように制御してもよい。ここで、前記アプリケーションのリストは、リッチメディアアプリケーションのリスト、或は、通信アプリケーションのリストであってもよい。
【００８４】
例えば、上記のリッチメディアアプリケーションのリストは、以下の二種を含んでもよい。
【００８５】
（１）もし、複数のリッチメディアアプリケーションを予め設定されていると、イヤーピースの着脱状態が着用である場合、表示インターフェースに予め設定した複数のリッチメディアアプリケーションが含まれたリストを表示させて、ユーザによりリッチメディアアプリケーションのリストの中から選択したアプリケーションを起動して運行させるように制御してもよい。
【００８６】
（２）もし、リッチメディアアプリケーションが予め設定されていないと、本発明に係る実施例においては、スマート端末デバイスが予め設定した対策（たとえば、使用回数、最近の使用時間、等）に従って、各リッチメディアアプリケーションをソートし、ソート後の複数のリッチメディアアプリケーションが含まれたリストを表示させ、ユーザによりリッチメディアアプリケーションのリストの中から選択したアプリケーションを起動して運行させるように、自動的に制御してもよい。
【００８７】
サブステップ２０２３において、スマート端末デバイス中に運行中のアプリケーションが存在する場合、運行中のアプリケーションの種類を特定し、特定された種類及びイヤーピースの着脱状態に基づいて、運行中のアプリケーションの運行状態を制御するか、及び／或いは、スマート端末デバイスの動作モードを制御する。
【００８８】
本発明に係る実施例においては、もし、スマート端末デバイス中に運行中のアプリケーションが存在すると、アプリケーションの種類及びイヤーピースの着脱状態に基づいて、運行中のアプリケーションの運行状態、或は、スマート端末デバイスの動作モードを、制御してもよい。
【００８９】
当該サブステップ２０２３は、以下の四つのケースを含んでもよい。
【００９０】
第１のケースにおいて、
運行中のアプリケーションがリッチメディアアプリケーションである場合、イヤーピースの着脱状態が着用であると、運行中のアプリケーションが第１運行状態であるか否かを特定し、第１運行状態にあると、運行中のアプリケーションを第１運行状態から第２運行状態に切り替えるように、制御する。
【００９１】
本発明に係る実施例において、上記の第１運行状態は、非再生状態であり、第２運行状態は、再生状態であってもよい。例えば、もし、現在、運行中のアプリケーションがリッチメディアアプリケーションである場合、この時、イヤーピースの着脱状態が着用であることがモニタリングされ、且つ、リッチメディアアプリケーションが非再生状態（ここで、一時停止状態であってもよい）であると、スマート端末デバイスは、制御命令に従って、運行中のリッチメディアアプリケーションを非再生状態から再生状態に、自動的に切り替える。
【００９２】
着用状態において、スマート端末デバイスの動作モードを、イヤホンモードにデフォルトに採用することを説明する必要がある。このため、運行中のアプリケーションがリッチメディアアプリケーションである場合、もし、イヤーピースの着脱状態がずっと着用であり、且つ、運行中のアプリケーションが第２運行状態（即ち、再生状態）にあると、スマート端末デバイスは、イヤホンモードを採用する。もし、イヤーピースが脱着状態から着用状態に変更されると、脱着状態の時は通常モードであるため、上記の状態の切り替えを行った後に、スマート端末デバイスの動作モードをイヤホンモードに切り替える必要がある。
【００９３】
第２のケースにおいて、
運行中のアプリケーションがリッチメディアアプリケーションである場合、もし、イヤーピースの着脱状態が脱着であると、運行中のアプリケーションの運行状態を特定し、第２運行状態にあると、運行中のアプリケーションを第２運行状態から第１運行状態に切り替えるように制御し、もし、第１運行状態にあると、運行中のアプリケーションを第１運行状態から第２運行状態に切り替えるように制御し、また、スマート端末デバイスを第１動作モードに切り替えるように制御する。
【００９４】
例えば、センサを用いてイヤホンのイヤーピースが脱着状態にあることがモニタリングされた場合、もし、スマート端末デバイス中のリッチメディアアプリケーションが再生状態にあると、スマート端末デバイスは、イヤホンからの制御命令が受信されたら、再生を自動的に一時停止させることになり（即ち、リッチメディアアプリケーションの運行状態を、再生状態から非再生状態に切り替える）、もし、スマート端末デバイス中のリッチメディアアプリケーションが非再生状態にあると、スマート端末デバイスは、ユーザから操作してトリガした再生し続け命令が受信されたら、リッチメディアアプリケーションの運行状態を、非再生状態から再生状態に切り替え（例えば、ユーザがイヤホン上のスイッチを制御するか、或は、再生インターフェース上の再生ボタンをクリックする）、また、スマート端末デバイスを第１動作モード（即ち、通常モード）に切り替えて、スマート端末デバイスに内蔵されたスピーカーがリッチメディア・コンテンツを再生し続けるようにしてもよい。
【００９５】
第３のケースにおいて、
運行中のアプリケーションが通信アプリケーションである場合、もし、イヤーピースの着脱状態が着用であると、スマート端末デバイスを第２動作モードに切り替えるようし制御するか、或いは、運行中のアプリケーションが第１運行状態にあるか否かを特定し、第１運行状態にあると、運行中のアプリケーションを第１運行状態から第２運行状態に切り替えるように制御する。
【００９６】
本発明に係る実施例において、上記の第２動作モードは、イヤホンモードであってもよい。もし、通信アプリケーション（当該通信アプリケーションは、オーディオ通信或いは、ビデオ通信であってもよい）を運行させている時に、イヤーピースの着脱状態が着用であると、スマート端末デバイスをイヤホンモードに切り替えるように制御してもよく、即ち、イヤホンを用いて通信するように制御してもよい。
【００９７】
また、ある種類の通信（例えば、ＷｅＣｈａｔ通信）は、通信内容をオーディオクリップの形式で転送するため、これらオーディオクリップを、再生、或は、一時停止に制御できる。もし、イヤーピースの着脱状態が着用である場合、当該通信アプリケーションが第１運行状態（即ち、非再生状態）であることが検出されると、運行中のアプリケーションを第１運行状態から第２運行状態に切り替える（即ち、再生状態）ように制御して、通信内容を再生し続けてもよく、ここで、スマート端末デバイスは、デフォルトに、イヤホンモードを使用する。
【００９８】
第４のケースにおいて、
運行中のアプリケーションが通信アプリケーションである場合、もし、イヤーピースの着脱状態が脱着であると、スマート端末デバイスを第３動作モードに切り替えるように制御するか、或いは、運行中のアプリケーションが第２運行状態にあるか否かを特定し、第２運行状態にあると、運行中のアプリケーションを第２運行状態から第１運行状態に切り替えるように制御する。
【００９９】
本発明に係る実施例において、上記の第３動作モードは、通信種類によって互いに異なるモードであってもよい。
【０１００】
例えば、ユーザが現在イヤホンのイヤーピースを着用してオーディオ通信を聴いている時に、もし、センサによりユーザがいまイヤホンのイヤーピースを脱着していることがモニタリングされた場合、スマート端末デバイスは、イヤホンからの制御命令が受信されたら、受話器モードに自動的に切り替える。ユーザは、直接、デバイス上の受話器を耳に当ててオーディオ通信を行い続けてもよい。
【０１０１】
ユーザが現在イヤホンのイヤーピースを着用してビデオ通信を聴いている時に、もし、センサによりユーザが現在イヤホンのイヤーピースを脱着していることがモニタリングされた場合、スマート端末デバイスは、イヤホンからの制御命令が受信されたら、ハンズフリーモードに自動的に切り替える。ユーザは、直接、デバイス上のスピーカーを用いてビデオ通信を行い続けてもよい。
【０１０２】
また、ある種類の通信（例えば、ＷｅＣｈａｔ通信）の場合は、もし、イヤーピースの着脱状態が脱着であると、当該通信アプリケーションが第２運行状態（即ち、再生状態）にあることが検出された場合、運行中のアプリケーションを第２運行状態から第１運行状態（即ち、非再生状態）に切り替えるように制御して、情報内容の再生を一時停止させてもよい。
【０１０３】
上記の制御運行中のアプリケーションを第１運行状態から第２運行状態に切り替える方法は以下の二種の方法を含んでもよいことを、説明する必要がある。
【０１０４】
（ｉ）運行中のアプリケーションが一つある場合、運行中のアプリケーションを第１運行状態から第２運行状態に切り替えるように制御する。
【０１０５】
（ｉｉ）運行中のアプリケーションが二つ以上ある場合、ユーザに運行中のアプリケーションのリストを提供して、ユーザにより運行中のアプリケーションのリストの中から選択したアプリケーションを第１運行状態から第２運行状態に切り替えるように制御する。
【０１０６】
もし、二つの以上のアプリケーションが第１運行状態にあると、該当するアプリケーションのリストを生成することになる。リスト中のこれらアプリケーションの優先度は、予め設定した対策（例えば、ユーザが使用した最近時間、等の対策）に従ってソートしたものである。ユーザは、該当するアプリケーションをクリックして選択して、第１運行状態から第２運行状態に切り替えてもよい。
【０１０７】
上記のように、本発明に係る実施例によると、スマート端末デバイスの制御方法を提供する。当該方法は、イヤホン上に設置されたセンサを用いて信号をモニタリングし、イヤホン中の信号コーディングデコーダを用いて信号をコーディングして、該当する制御命令を生成してスマート端末デバイスに転送する。このため、スマート端末デバイスは、制御命令に基づいて、スマート端末デバイス中のアプリケーションの運行状態、或いは、スマート端末デバイスの動作モードを自動的に制御できるため、煩雑の手動操作を通じて制御を行う必要が無くなった。
【０１０８】
＜実施例３＞
本発明に係る実施例において、どのように、イヤホンのイヤーピースの着脱状態に基づいてスマート端末デバイスが該当する操作を実行するように制御するかを、詳細に説明する。
【０１０９】
本発明に係る実施例において、有線イヤホン（二つのイヤーピースを含む）の例を挙げて説明する。スマート端末デバイス中で運行中のアプリケーションは、リッチメディアアプリケーション及び通信アプリケーションを含んでもよい。ここで、リッチメディアアプリケーションは、マルチメディアアプリケーション及びゲームアプリケーションを含んでもよく、通信アプリケーションは、オーディオ通信アプリケーション及びビデオ通信アプリケーション（当然ながら、ＷｅＣｈａｔアプリケーションを含んでもよいが、本発明に係る実施例においては、これに対して詳細に記載しない）を含んでもよい。
【０１１０】
図５は、本発明の実施例３に係るスマート端末デバイスの制御方法を示すフローチャートである。当該方法は、以下のステップを含んでもよい。
【０１１１】
ステップ１において、イヤホンをスマート端末デバイスに接続させる。
【０１１２】
本発明に係る実施例において、まず、イヤホンをスマート端末デバイスに接続させる。例えば、有線イヤホンを、スマート端末デバイス（例えば、携帯電話、プレーヤー、或は、コンソール）に挿入するか、或いは、無線イヤホンをスマート端末デバイスに接続させる。
【０１１３】
ステップ２において、一定時間おきに、イヤホンのイヤーピースの着脱状態をモニタリングする。
【０１１４】
イヤホンをスマート端末デバイスに接続させた後に、スマート端末デバイスは、イヤホン上のセンサを用いて、ユーザがイヤホンのイヤーピースを着用しているか否かをモニタリングし始める。
【０１１５】
本発明に係る実施例において、一定時間おきに、センサを用いてイヤホンのイヤーピースの着脱状態をモニタリングしてもよい。具体的な時間に対しては、本発明に係る実施例においては、限定しない。
【０１１６】
ステップ３において、センサにより少なくとも一つのイヤホンのイヤーピースを既に着用したか否かを検出する。
【０１１７】
Ｙｅｓの場合には、ステップ４を実行し、Ｎｏの場合には、ステップ２に戻る。
【０１１８】
ステップ４において、スマート端末デバイスが、現在、マルチメディアアプリケーションを運行させているか、或いは、ゲームアプリケーションを運行させているか、或いは、通信アプリケーションを運行させているか否かを判断する。
【０１１９】
Ｙｅｓ（即ち、現在、マルチメディアアプリケーションを運行させているか、或いは、ゲームアプリケーションを運行させているか、或いは、通信アプリケーションを運行させている）である場合には、ステップ１０を実行し、Ｎｏ（即ち、マルチメディアアプリケーションを起動してマルチメディア・コンテンツを再生させていないし、且つ、ゲームアプリケーションを起動してゲームを運行させていないし、且つ、通信アプリケーションを起動して通信していない）である場合には、ステップ５を実行する。
【０１２０】
ステップ５において、マルチメディアアプリケーション、ゲームアプリケーション、及び、通信アプリケーションの中の一つ、又は、複数を、予め設定したことがあるか否かを判断する。
【０１２１】
マルチメディアアプリケーション、ゲームアプリケーション、及び、通信アプリケーションの中の一つを予め設定したことがあれば、ステップ６を実行し、マルチメディアアプリケーション、ゲームアプリケーション、及び、通信アプリケーションの中の複数を予め設定したことがあれば、ステップ７を実行し、マルチメディアアプリケーション、ゲームアプリケーション、及び、通信アプリケーションの中の一つ、又は、複数を予め設定したことがなければ、ステップ８を実行する。
【０１２２】
ステップ６において、スマート端末デバイスが予め設定したマルチメディアアプリケーション、ゲームアプリケーション、或いは、通信アプリケーションを起動するように制御する。
【０１２３】
本発明に係る実施例において、もし、一つのマルチメディアアプリケーション、一つのゲームアプリケーション、或いは、一つの通信アプリケーションを予め設定したことがあると、少なくとも一つのイヤホンのイヤーピースが既に着用されたことがモニタリングされた同時に、現在、マルチメディアアプリケーションを起動してマルチメディア・コンテンツを再生させていないし、且つ、ゲームアプリケーションを起動してゲームを運行させていないし、且つ、通信アプリケーションを起動して通信を行っていない場合に、直接、予め設定したアプリケーションを起動してから、ステップ１０を実行する。
【０１２４】
ステップ７において、スマート端末デバイスが、予め設定した複数のマルチメディアアプリケーション、ゲームアプリケーション、及び、通信アプリケーションのリストを表示させるように、制御する。
【０１２５】
もし、マルチメディアアプリケーション、ゲームアプリケーション、及び、通信アプリケーションの中の複数を予め設定したことがあると、スマート端末デバイスが当該予め設定した複数のアプリケーションのリストを表示させるように制御してもよい。ここで、当該リスト中の複数のアプリケーションを、予め設定した対策（たとえば、使用回数）に従ってソートしてもよい。その後、ステップ９を実行する。即ち、ユーザによりリスト中のアプリケーションをクリックしてトリガした選択命令に従って、リスト中から一つのアプリケーションを選択して起動させる。
【０１２６】
ステップ８において、スマート端末デバイスが、使用回数に基づいて、マルチメディアアプリケーション、ゲームアプリケーション、及び、通信アプリケーションのリストをソートして表示するように制御する。
【０１２７】
もし、マルチメディアアプリケーション、ゲームアプリケーション、及び、通信アプリケーションの中の一つ、又は、複数を予め設定したことがないと、本発明に係る実施例においては、スマート端末デバイスが、各アプリケーションを使用回数に基づいてソートし、ソート後のマルチメディアアプリケーション、ゲームアプリケーション、及び、通信アプリケーションのリストを表示するように、自動的に制御する。その後、ステップ９を実行する。即ち、ユーザによりリストの中のアプリケーションをクリックしてトリガした選択命令に従って、リストの中から一つのアプリケーションを選択して起動させる。
【０１２８】
ステップ９において、ユーザによりリスト中のアプリケーションをクリックしてトリガした選択命令に従って、リスト中から一つのアプリケーションを選択して起動する。
【０１２９】
ステップ１０において、マルチメディアアプリケーション、ゲームアプリケーション、或いは、通信アプリケーションの状況を判断する。
【０１３０】
ステップ４においてスマート端末デバイスが現在マルチメディアアプリケーションを運行させているか、或いは、ゲームアプリケーションを運行させているか、或いは、通信アプリケーションを運行させていると判断した時に、さらに、マルチメディアアプリケーション、ゲームアプリケーション、或いは、通信アプリケーションの状況を判断し、その後、マルチメディアアプリケーション、ゲームアプリケーション、或いは、通信アプリケーションの状況に基づいて、スマート端末デバイスが該当する操作を実行するように制御してもよい。
【０１３１】
現在、マルチメディアアプリケーション、或いは、ゲームアプリケーションを運行させていると判断された場合には、ステップ１１を実行し、現在、通信アプリケーションを運行させていると判断された場合には、ステップ１３を実行する。
【０１３２】
ステップ１１において、マルチメディアアプリケーション、或いは、ゲームアプリケーションの運行状況が、非再生状態にあるか否かを判断する。
【０１３３】
非再生状態にある場合には、ステップ１２を実行し、再生状態にある場合には、ステップ１４を実行する。
【０１３４】
ステップ１２において、スマート端末デバイスが、マルチメディア・コンテンツを再生し続けるか、或いは、ゲームを運行し続けるように、制御し、また、ステップ１４を実行する。
【０１３５】
ステップ１３において、現在、通信を行っていると判断し、ステップ１４を実行する。
【０１３６】
ステップ１４において、スマート端末デバイスがイヤホンモードに切り替えるように制御し、ステップ１５を実行する。
【０１３７】
ステップ１５において、一定時間おきに、イヤホンのイヤーピースの着脱状態をモニタリングする。
【０１３８】
ステップ１６において、センサにより二つのイヤホンをすべて脱着したか否かを検出する。
【０１３９】
Ｙｅｓである場合には、ステップ１７を実行し、Ｎｏである場合には、ステップ１５に戻る。
【０１４０】
ステップ１７において、スマート端末デバイスが現在マルチメディアアプリケーションを運行させているか、或いは、ゲームアプリケーションを運行させているか、或いは、通信アプリケーションを運行させているかを判断する。
【０１４１】
Ｙｅｓ（即ち、現在、マルチメディアアプリケーションを運行させているか、或いは、ゲームアプリケーションを運行させているか、或いは、通信アプリケーションを運行させている）である場合には、ステップ１８を実行し、Ｎｏ（即ち、マルチメディアアプリケーションを起動してマルチメディア・コンテンツを再生させていないし、且つ、ゲームアプリケーションを起動してゲームを運行させていないし、且つ、通信アプリケーションを起動して通信を行っていない）である場合には、ステップ２に戻る。
【０１４２】
ステップ１８において、マルチメディアアプリケーション、ゲームアプリケーション、或いは、通信アプリケーションの状況を判断する。
【０１４３】
ステップ１７においてスマート端末デバイスが現在マルチメディアアプリケーションを運行させているか、或いは、ゲームアプリケーションを運行させているか、或いは、通信アプリケーションを運行させていると判断した場合には、さらに、マルチメディアアプリケーション、ゲームアプリケーション、或いは、通信アプリケーションの状況を判断してもよく、その後、判断されたマルチメディアアプリケーション、ゲームアプリケーション、或いは、通信アプリケーションの状況に基づいて、スマート端末デバイスが該当する操作を実行するように、制御してもよい。
【０１４４】
現在、マルチメディアアプリケーションを運行させている、或いは、ゲームアプリケーションを運行させていると判断された場合には、ステップ１９を実行し、現在、音声通信を行っていると判断された場合には、ステップ２３を実行し、現在、ビデオ通信を行っていると判断された場合には、ステップ２５を実行する。
【０１４５】
ステップ１９において、マルチメディアアプリケーション、或いは、ゲームアプリケーションの運行状況が非再生状態にあるか否かを判断する。
【０１４６】
非再生状態にある場合には、ステップ２１を実行し、再生状態にある場合には、ステップ２０を実行する。
【０１４７】
ステップ２０において、スマート端末デバイスが、マルチメディア・コンテンツの再生を一時停止させるか、或いは、ゲームの運行を一時停止させるように制御し、ステップ２に戻る。
【０１４８】
ステップ２１において、再生し続け命令を受信し、再生し続け命令に従って、スマート端末デバイスが、マルチメディア・コンテンツを再生し続けるか、或いは、ゲームを運行し続けるように制御する。
【０１４９】
本発明に係る実施例において、上記の再生し続け命令は、ユーザが再生し続けボタンをクリックしてトリガしてもよく、当然ながら、他の形式でトリガしてもよいし、本発明に係る実施例はこれに対して限定しない。
【０１５０】
ステップ２２において、スマート端末デバイスが通常モードに切り替えるように制御し、ステップ２に戻る。
【０１５１】
ステップ２３において、現在、音声通信を行っていると判断し、ステップ２４を実行する。
【０１５２】
ステップ２４において、スマート端末デバイスが耳聴きモードに切り替えるように制御し、ステップ２に戻る。
【０１５３】
ステップ２５において、現在、ビデオ通信を行っていると判断し、ステップ２６を実行する。
【０１５４】
ステップ２６において、スマート端末デバイスがハンズフリーモードに切り替えるように制御し、ステップ２に戻る。
【０１５５】
以下、四つの使用ケースによって、本発明の実施例に係るスマート端末デバイスの制御方法を説明する。
【０１５６】
使用ケース１において、
センサによりユーザがイヤホンを着用したことがモニタリングされた場合、スマート端末デバイス（例えば、携帯電話、プレーヤー、コンソール、等）が画面ロック・スリープ状態にあると、信号コーディングデコーダにより、まず、ウェークアップ命令を生成して端末デバイスに転送し、ウェークアップ命令に基づいてスマート端末デバイスが自動的にウェークアップしてアンロック（ロック画面にパスワードがあれば、まず、アンロックパスワードの入力欄インターフェースをポップアップする）するように制御する。その後、信号コーディングデコーダにより着用制御命令を生成して、スマート端末デバイスが、ユーザが予め設定した規則に従って、一つのマルチメディアアプリケーション、ゲームアプリケーション、又は、通信アプリケーションを自動的に起動するように制御するか、或いは、これらアプリケーションのリスト（リスト中のこれらアプリケーションの優先度は、予め設定するか、或いは、ユーザが使用した回数に基づいてソートしてもよく、ユーザにより該当するアプリケーションを選択して起動してもよい）を表示させるように制御する。
【０１５７】
もし、スマート端末デバイスのスクリーンが既にアンロックされたが、まだ、再生及び通信に関連するアプリケーション（例えば、、マルチメディアアプリケーションを起動してマルチメディア・コンテンツを再生させていないし、且つ、ゲームアプリケーションを起動してゲームを運行させていないし、且つ、通信アプリケーションを起動して通信を行っていない）が起動されていないと、信号コーディングデコーダにより着用制御命令を生成して、スマート端末デバイスが起動操作を実行するように制御してもよい。
【０１５８】
当該使用ケース１は、図５の中のステップ５〜ステップ９に対応され、本発明に係る実施例においては、具体的な過程に対して詳細に記述しない。
【０１５９】
使用ケース２において、
センサによりユーザがイヤホンを着用したことをモニタリングした場合、スマート端末デバイスが、マルチメディア・コンテンツ（例えば、ミュージック、ビデオ）の再生を一時停止させているか、或は、ゲームの運行を一時停止させている状態にあると、スマート端末デバイスは、イヤホンからの着用制御命令が受信されたら、自動的に、マルチメディア・コンテンツを再生し続けるか、或いは、ゲームを運行し続けることになる。
【０１６０】
上記のケースは、図５の中のステップ１１〜ステップ１２に対応される。
【０１６１】
センサによりユーザがイヤホンを脱着したことをモニタリングして場合、もし、スマート端末デバイスが、現在、マルチメディア・コンテンツ（ミュージック、ビデオ）を再生させているか、或は、ゲームを運行させている状態にあると、スマート端末デバイスは、イヤホンからの脱着制御命令が受信されると、自動的に、マルチメディア・コンテンツの再生を一時停止させるか、或いは、ゲームの運行を一時停止させることになる。この時、ユーザは、イヤホン上のスイッチ、或は、再生インターフェース上の再生ボタンを用いて、スマート端末デバイスに内蔵されたスピーカーを使用して、マルチメディア・コンテンツ、或は、ゲームを再生し続けることになる。
【０１６２】
上記のケースは、図５の中のステップ１９〜ステップ２２に対応される。
【０１６３】
好ましくは、二つの以上のマルチメディア・コンテンツの再生が一時停止されたか、或は、二つの以上のゲームの運行が一時停止された場合には、該当する再生リストを生成することになる。リスト中のこれらマルチメディア・コンテンツ或はゲームの優先度は、ユーザが最近に使用した時間に基づいてソートしてもよく、ユーザは、該当するマルチメディア・コンテンツ或はゲームをクリック選択して、再生し続けてもよい。
【０１６４】
使用ケース３において、
ユーザが現在イヤホンを着用してオーディオ通信を聴いている時に、もし、センサによりユーザがこの時イヤホンを脱着していることがモニタリングした場合、スマート端末デバイスは、イヤホンからの脱着制御命令が受信されたら、自動的に、耳聴きモードに切り替え、ユーザは、直接、デバイスのイヤーピースを耳に当ててオーディオ通信を聴き続けてもよい。
【０１６５】
上記のケースは、図５の中のステップ２３〜ステップ２４に対応される。
【０１６６】
使用ケース４において、
ユーザが現在イヤホンを着用してビデオ通信を聴いている時に、もし、センサによりユーザがこの時イヤホンを脱着していることがモニタリングした場合、スマート端末デバイスは、イヤホンからの脱着制御命令を受信されると、自動的に、ハンズフリーモードに切り替え、ユーザは、直接、デバイスのスピーカーを用いてビデオ通信を行い続けてもよい。
【０１６７】
上記のケースは、図５の中のステップ２５〜ステップ２６に対応される。
【０１６８】
当然ながら、さらに、多数の他の使用ケースを含んでもよく、当業者は、実際状況に応じて該当する処理を行うことができ、本発明の実施例では、ここで例を一つ一つ挙げない。
【０１６９】
上記のように、本発明に係る実施例によると、多数の緊急の場合に、ユーザは、イヤホンのイヤーピースを簡単に着用するか脱着するだけで、スマート端末デバイス中の関連するアプリケーションの運行を制御できる。即ち、イヤホンのイヤーピースを着用するか、或いは、イヤホンのイヤーピースを脱着すると、デバイスは、状況によって、マルチメディア・コンテンツの再生、ゲームの運行、又は、通信を自動的に制御できるし、また、各動作モードの間の切り替えを制御できる。この為、ユーザが耳からイヤホンのイヤーピースを脱着するために慌てて、マルチメディア・コンテンツの再生、又は、ゲームの運行を中止することを忘れて、再生の内容、又は、ゲーム過程を逃すか、デバイスの電力の無駄を招いてしまう問題を解決した。同時に、状況によって、各モードの自動的な切り替えを実現できるので、有線イヤホンを挿入したり抜き出したりする必要がなくなり、設定を行うことで無線イヤホンをオンにしたりオフにしたりする必要が無くなった。本発明の実施例に係る方法によると、エクスペリエンスをもっとヒューマナイズにし、関連するイヤホンの操作方式を簡素化した上で、イヤホンの機械的の部分の使用寿命を改善でき、デバイスの電力を節約できる。
【０１７０】
上記の方法の実施例は、記述を簡単にするために、一連の動作の組み合わせに記述したが、当業者は、本発明は記述した動作の順序に限定されなく、一部のステップは他の順序を採用するか、或いは、同時に実行してもよいことを、理解すべきであることを説明する必要がある。そして、当業者は、明細書中に記述した実施例は、すべて、好ましい実施例に属し、関連する動作は、本発明にとって必須なものでなないことを理解すべきである。
【０１７１】
＜実施例４＞
図６は、本発明の実施例４に係るスマート端末デバイスの制御システムの構成を示すブロック図である。当該システムは、モニタリングモジュール６００及び制御モジュール６０２を備えてもよい。
【０１７２】
ここで、
モニタリングモジュール６００は、スマート端末デバイスに接続されたイヤホンのイヤーピースの、着用及び脱着を含む着脱状態をモニタリングする。
【０１７３】
ここで、モニタリングされる、スマート端末デバイスに接続されたイヤホンは、有線イヤホン或いは無線イヤホンであってもよい。
【０１７４】
制御モジュール６０２は、モニタリングモジュールによりモニタリングされたイヤーピースの着脱状態に基づいて、スマート端末デバイス中のアプリケーションの運行状態を制御か、及び／或いは、スマート端末デバイスの動作モードを制御する。
【０１７５】
本発明に係る実施例によると、マート端末デバイス上に接続されたイヤホンのイヤーピースの着脱状態をリアルタイムにモニタリングし、その後、イヤーピースの着脱状態に基づいて、スマート端末デバイス中のアプリケーションを自動的に制御できる。このため、本発明に係る実施例においては、イヤホンのイヤーピースを着用する動作及び脱着する動作を簡単にモニタリングするだけで、関連するアプリケーションの運行状態を自動的に制御するか、及び／或いは、スマート端末デバイスの動作モードを自動的に制御することができ、手動操作によって制御する必要が無くなるため、イヤホンの着脱状態が変更された時に行うべきの操作を簡素化でき、イヤホンの機械的の部分の使用寿命を改善でき、スマート端末デバイスの電力を節約できる。
【０１７６】
＜実施例５＞
図７は、本発明の実施例５に係るスマート端末デバイスの制御システムの構成を示すブロック図である。当該システムは、モニタリングモジュール７００及び制御モジュール７０２を備えてもよい。
【０１７７】
ここで、モニタリングモジュール７００は、スマート端末デバイスに接続されたイヤホンのイヤーピースの、着用及び脱着を含む着脱状態をモニタリングする。
【０１７８】
本発明に係る実施例において、モニタリングモジュールは、イヤホンのイヤーピース表面、或いは、内部に設置されたセンサを用いて、スマート端末デバイスに接続されたイヤホンのイヤーピースの着脱状態をモニタリングする。
【０１７９】
ここで、センサは、カメラセンサ、容量型静電気センサ、抵抗型圧力センサ、圧電センサ、光センサ、赤外線センサ及び距離センサの中の少なくとも一つを含む。
【０１８０】
制御モジュール７０２は、モニタリングモジュールによりモニタリングされたイヤーピースの着脱状態に基づいて、スマート端末デバイス中のアプリケーションの運行状態を制御するか、及び／或いは、スマート端末デバイスの動作モードを制御する。
【０１８１】
当該制御モジュール７０２は、検出サブモジュール７０２１、運行サブモジュール７０２２及び制御サブモジュール７０２３を備える。
【０１８２】
ここで、検出サブモジュール７０２１は、スマート端末デバイス中に運行中のアプリケーションが存在するか否かを検出する。
【０１８３】
当該検出サブモジュール７０２１は、
イヤホン内に設置された信号コーディングデコーダを用いてコーディングして生成した制御命令を受信するための受信サブユニットと、
制御命令に基づいて、スマート端末デバイス中に運行中のアプリケーションが存在するか否かを検出するための検出サブユニットと
を備えてもよい。
【０１８４】
運行サブモジュール７０２２は、検出サブモジュールによりスマート端末デバイス中に運行中のアプリケーションが存在しないことが検出された場合、イヤーピースの着脱状態に基づいて予め設定した対策に従って、スマート端末デバイス中のアプリケーションを起動して運行させる。
【０１８５】
当該運行サブモジュール７０２２は、
イヤーピースの着脱状態が着用である場合、スマート端末デバイスのデスクトップアプリケーションを起動して運行及び表示させるように制御するための第１アプリケーション運行サブユニットと、
イヤーピースの着脱状態が着用である場合、スマート端末デバイス中の予め設定したアプリケーションを起動して運行させるように制御するための第２アプリケーション運行サブユニットと、
イヤーピースの着脱状態が着用である場合、表示インターフェースにリッチメディアアプリケーションのリストを表示し、ユーザによりリッチメディアアプリケーションのリストの中から選択したアプリケーションを起動して運行させるように制御するための第３アプリケーション運行サブユニットと、
を備えてもよい。
【０１８６】
制御サブモジュール７０２３は、検出サブモジュールによりスマート端末デバイス中に運行中のアプリケーションが存在することが検出された場合、運行中のアプリケーションの種類を特定し、特定された種類及びイヤーピースの着脱状態に基づいて、運行中のアプリケーションの運行状態を制御するか、及び／或いは、スマート端末デバイスの動作モードを制御する。
【０１８７】
当該制御サブモジュール７０２３は、
運行中のアプリケーションがリッチメディアアプリケーションである場合、イヤーピースの着脱状態が着用であると、運行中のアプリケーションが第１運行状態にあるか否かを特定し、第１運行状態にあると、運行中のアプリケーションを第１運行状態から第２運行状態に切り替えるように制御するための第１リッチメディア切替えサブユニットと、
運行中のアプリケーションがリッチメディアアプリケーションである場合、イヤーピースの着脱状態が脱着であると、運行中のアプリケーションの運行状態を特定し、第２運行状態にあると、運行中のアプリケーションを第２運行状態から第１運行状態に切り替えるように制御し、第１運行状態にあると、運行中のアプリケーションを第１運行状態から第２運行状態に切り替えるように制御し、また、スマート端末デバイスを第１動作モードに切り替えるように制御するための第２リッチメディア切替えサブユニットと、
運行中のアプリケーションが通信アプリケーションである場合、イヤーピースの着脱状態が着用であると、スマート端末デバイスを第２動作モードに切り替えるように制御し、或いは、運行中のアプリケーションが第１運行状態にあるか否かを特定し、第１運行状態にあると、運行中のアプリケーションを第１運行状態から第２運行状態に切り替えるように制御するための第１通信切替えサブユニットと、
運行中のアプリケーションが通信アプリケーションである場合、イヤーピースの着脱状態が脱着であると、スマート端末デバイスを第３動作モードに切り替えるように制御するか、或いは、運行中のアプリケーションが第２運行状態にあるか否かを特定し、第２運行状態にあると、運行中のアプリケーションが第２運行状態から第１運行状態に切り替えるように制御するための第２通信切替えサブユニットと
を備えてもよい。
【０１８８】
制御運行中のアプリケーションを第１運行状態から第２運行状態に切り替える方法は、
運行中のアプリケーションが１個ある場合、運行中のアプリケーションを第１運行状態から第２運行状態に切り替えるように制御する方法と、
運行中のアプリケーションが２個以上ある場合、ユーザに運行中のアプリケーションのリストを提供し、ユーザにより運行中のアプリケーションのリスト中から選択したアプリケーションを第１運行状態から第２運行状態に切り替えるように制御する方法と
を含む。
【０１８９】
本発明に係る実施例は、任意の形式の有線イヤホン或は無線イヤホンに適用される。例えば、耳栓型イヤホン、耳入り型イヤホン、頭着き型イヤホン、耳掛け型イヤホン、等に適用される。イヤホンの表面、或いは、内部に、一つ、或いは、幾つかのセンサの組み合わせを追加するだけで、スマート端末デバイスがセンサを用いてユーザがイヤホンのイヤーピースを着用しているか否かを検出できる。そして、状況に基づいて、イヤホンのイヤーピースを簡単に着用したり脱着することだけで、アプリケーションの運行、動作モードの切り替え、等を制御でき、操作過程を簡素化できる。
【０１９０】
システムの実施例は、方法の実施例と基本的に類似であるため、簡単に記述したが、関連する部分は方法の実施例の部分の説明を参照できる。
【０１９１】
最後に、本発明に係る実施例においては、センサによりユーザがイヤホンのイヤーピースを着用したり脱着することをモニタリングした場合に、信号コーディングデコーダを用いて、コーディング命令を生成してスマート端末デバイスへ転送し、この時、現在のスマート端末デバイスの具体的な状況に基づいて該当する制御を行うが、ユーザがイヤホンのイヤーピースを着用しているか、或は、イヤホンのイヤーピースを着用していない全部の使用過程において、依然として、一般的なイヤホン交互操作モードに従うことができることを、説明する必要がある。
【０１９２】
本明細書の中の各実施例は、すべて、順々前に進む方法を採用して説明し、各実施例の他の実施例との異なる部分を主に説明した。各実施例同士の間の同一の部分又は同様の部分は、互いに参照できる。
【０１９３】
当業者は、上記の各実施例の任意に組み合わせて応用してもよいため、上記の各実施例同時の間の任意の組み合わせは、すべて、本発明の実施形態に属するが、ページ数に限定されて、本明細書では一つ一つ詳細に説明しないことを、容易に理解できる。
【０１９４】
本発明の実施例は、コンピュータで実行可能のコマンドの一般な文脈に表示され、例えば、プログラムモジュールとして表示される。一般的に、プログラムモジュールは、特定のマスク又は特定の抽象データ類型を実現するルーチン、プログラム、オブジェクト、モジュール、データ構成などを含む。分散コンピューティング環境において本発明の実施例を実現してもいい。分散コンピューティング環境において、通信ネットワークを介して接続されたリモート処理デバイスでマスクを実行する。分散コンピューティング環境において、プログラムモジュールが記憶デバイスなどのローカルとリモートコンピュータの記憶装置に記憶されてもいい。
【０１９５】
最後に、説明すべくこととして、本明細書において、各例の「第１」と「第２」等などの関係言葉は、ただ一つの実体又は操作と他の一つの実体又は操作と区分するための言葉であり、これらの実体又は操作同士にこのような実際の関係又は順序が存在することが示唆されていない。且つ、言葉である「含む」や「有する」又は他の変更言葉は、カバーに含む意味を示し、排他的に含む意味でない。一連の要素を含む過程、方法、商品又はデバイスは、それらの要素だけでなく、明確に記載されていない他の要素や、この過程、方法、商品又はデバイスに固有された要素も含む。さらに限定されていない場合、「一つの．．．を含む」で限定された要素は、前記要素の過程、方法、商品又はデバイスにもその他の同じ要素も含む可能性がある。
【０１９６】
前記のように、本発明の実施例所により提供されたデスクトップの表示方法及び装置を詳細に説明した。本明細書に記載のアプリケーションを例として本発明の実施例の原理及び実施形態を説明した、前記実施例の説明は、ただ本発明の実施例の方法及び趣旨を理解することに寄与する。且つ、当業者にとって、本発明の実施例の趣旨に基づいて、具体な実施形態及びアプリケーションの範囲に変更することがある。前記を纏め、本明細書は、本発明の趣旨の範囲を限定するためのものではない。
【図１】
0006275734.tif 000002
【図２】
0006275734.tif 000003
【図３】
0006275734.tif 000004
【図４】
0006275734.tif 000005
【図５】
0006275734.tif 000006
【図６】
0006275734.tif 000007
【図７】
0006275734.tif 000008